(57)【特許請求の範囲】
【請求項１】
容器体内の液状薬剤を吸い上げる吸上芯を前記容器体の差込穴に差し込んでセットする揮散器において、
前記吸上芯を前記差込穴に差し込む際に該差込穴の内縁との間に間隙を形成する逃がし溝を当該吸上芯の周面に設け、
前記吸上芯の差込方向先端側に前記逃がし溝が形成された溝有領域を設定し、前記吸上芯の基端側に前記逃がし溝を不具備な溝無領域を設定するとともに、
前記吸上芯を前記差込穴に差し込んでセットした状態で前記吸上芯の前記溝無領域が前記差込穴の内縁に達するように構成したことを特徴とする揮散器。
【請求項２】
前記吸上芯の基端部に吸い上げた液状薬剤を揮散する揮散部を設ける一方、
前記逃がし溝を前記吸上芯の長さ方向に延在する直線状に形成し、
前記揮散部の正面部を前方へ向けた状態で前記逃がし溝が側方へ向くように当該逃がし溝を配置したことを特徴とする請求項１の揮散器。
【請求項３】
前記吸上芯の基端部に吸い上げた液状薬剤を揮散する円筒状の揮散部を設けたことを特徴とする請求項１又は２記載の揮散器。
【発明の詳細な説明】
【技術分野】
【０００１】
本発明は、液状薬剤を揮散する揮散器に関する。
【背景技術】
【０００２】
従来、香料及び殺虫剤等の液状薬剤を揮散する揮散器が知られている（例えば、特許文献１参照。）。
【０００３】
この揮散器は、香料や殺虫剤が収容された容器と、該容器の口部を閉鎖する蓋と、該蓋の差し込み穴に差し込まれる拡散ピンとを備えている。
【０００４】
該拡散ピンは、前記差し込み穴に差し込まれる吸液性の軸と、該軸の上端に設けられた球状の頭部とによって構成されており、前記容器内の殺虫剤を前記軸で吸い上げて前記頭部より揮散できるように構成されている。
【先行技術文献】
【特許文献】
【０００５】
【特許文献１】登録実用新案第３０５６２５１号公報
【発明の概要】
【発明が解決しようとする課題】
【０００６】
しかしながら、このような従来の揮散器にあっては、拡散ピンの軸を容器内に差し込むと当該軸の体積分、前記容器内の圧力が上昇する。
【０００７】
このとき、この内圧を受けた前記容器内の香料や殺虫剤は、前記軸に吸液されて上昇し、前記頭部に到達する。
【０００８】
すると、香料や殺虫剤の一部が前記頭部に浸透する前に表面よりにじみ出して液垂れが生ずることがあった。
【０００９】
本発明は、このような従来の課題に鑑みてなされたものであり、揮散部での液垂れを未然に防止することができる揮散器を提供することを目的とするものである。
【課題を解決するための手段】
【００１０】
前記課題を解決するために本発明の請求項１の揮散器にあっては、容器体内の液状薬剤を吸い上げる吸上芯を前記容器体の差込穴に差し込んでセットする揮散器において、前記吸上芯を前記差込穴に差し込む際に該差込穴の内縁との間に間隙を形成する逃がし溝を当該吸上芯の周面に設け、前記吸上芯の差込方向先端側に前記逃がし溝が形成された溝有領域を設定し、前記吸上芯の基端側に前記逃がし溝を不具備な溝無領域を設定するとともに、前記吸上芯を前記差込穴に差し込んでセットした状態で前記吸上芯の前記溝無領域が前記差込穴の内縁に達するように構成した。
【００１１】
すなわち、容器体に吸上芯をセットする際には、前記容器体の差込穴に吸上芯を差し込む。このとき、前記容器体内には、前記吸上芯が挿入されるので、挿入された吸上芯の体積分、内圧が高められる。
【００１２】
このとき、前記吸上芯の周面には、逃がし溝が形成されており、当該吸上芯を前記差込穴に差し込む際には、この逃がし溝によって前記差込穴の内縁と前記吸上芯との間に間隙が形成される。このため、高められた容器体内の圧力は、前記逃がし溝で形成された間隙より外部へ逃がされ、内圧の上昇が抑えられる。
【００１４】
また、前記吸上芯の先端側には、前記逃がし溝が形成された溝有領域が設定されており、当該溝有領域が前記差込穴を通過する際には、前記逃がし溝によって前記間隙が確保されるため、内圧の上昇が防止される。
【００１５】
一方、前記吸上芯を前記差込穴に差し込んでセットした状態では、前記吸上芯の前記溝無領域が前記差込穴の内縁に達する。すると、当該差込穴の内縁は、前記吸上芯の周面全周に渡って密着し、水密性が保たれる。
【００１６】
また、請求項２の揮散器では、前記吸上芯の基端部に吸い上げた液状薬剤を揮散する揮散部を設ける一方、前記逃がし溝を前記吸上芯の長さ方向に延在する直線状に形成し、前記揮散部の正面部を前方へ向けた状態で前記逃がし溝が側方へ向くように当該逃がし溝を配置した。
【００１７】
すなわち、前記吸上芯の基端部には、吸い上げた液状薬剤を揮散する揮散部が設けられており、前記液状薬剤の揮散が促進される。
【００１８】
そして、前記逃がし溝は、前記吸上芯の長さ方向に延在する直線状に形成されており、前記揮散部の正面部を前方へ向けた状態で、前記逃がし溝が側方へ向くように当該逃がし溝が配置されている。
【００１９】
このため、前記揮散部の正面部を利用者側へ向けた状態では、前記吸上芯に形成された前記逃がし溝が側方を向くため、前記逃がし溝の利用者側への露出が防止される。
【００２０】
さらに、請求項３の揮散器にあっては、前記吸上芯の基端部に吸い上げた液状薬剤を揮散する円筒状の揮散部を設けた。
【００２１】
すなわち、前記吸上芯の基端部には、吸い上げた液状薬剤を揮散する揮散部が設けられており、該揮散部は、円筒状に形成されている。
【００２２】
このため、前記吸上芯で吸い上げられた液状薬剤は、円筒状に形成された揮散部の外周面及び内周面並びに両端面から揮散される。
【００２３】
また、前記吸上芯の基端部には、円筒状の揮散部が設けられるので、デザイン性の向上が図られる。
【発明の効果】
【００２４】
以上説明したように本発明の請求項１の薬剤容器にあっては、容器体の差込穴に吸上芯を差し込む際に差し込まれた吸上芯によって高められた容器体内の圧力を、前記吸上芯の逃がし溝により形成された間隙を介して外部に放出することができる。
【００２５】
このため、拡散ピンの軸を容器内に差し込むと容器内の圧力が上昇する従来と比較して、内圧による液状薬剤の吸上芯に沿った上昇を防止することができる。これにより、液状薬剤が吸上芯を上昇し、その表面よりにじみ出して液垂れが生じるといった不具合を未然に防止することができる。
【００２６】
また、前記吸上芯の先端側に前記逃がし溝が形成された溝有領域が設定されており、当該溝有領域が前記差込穴を通過する際に、前記逃がし溝により形成される前記間隙によって、容器体内の内圧の上昇を防止することができる。これにより、前述の液垂れを防止することができる。
【００２７】
一方、前記吸上芯を前記差込穴に差し込んでセットした状態では、前記吸上芯の前記溝無領域が前記差込穴の内縁に達する。すると、当該差込穴の内縁は、前記吸上芯の周面全周に渡って密着するため、水密性を確保することができる。
【００２８】
このため、セット状態において、前記吸上芯と前記差込穴の内縁との間に間隙が形成される場合と比較して、当該容器体が倒れた場合であっても、液漏れを確実に防止することができる。
【００２９】
また、請求項２の揮散器では、吸い上げた液状薬剤を揮散する揮散部を前記吸上芯の基端部に設けることによって、前記吸上芯により吸い上げられた前記液状薬剤の揮散を促進することができる。
【００３０】
そして、前記逃がし溝は、前記吸上芯の長さ方向に延在する直線状に形成されており、前記揮散部の正面部を前方へ向けた状態で、前記逃がし溝が側方へ向くように当該逃がし溝が配置されている。
【００３１】
このため、前記揮散部の正面部を利用者側へ向けた使用時において、前記吸上芯に形成された前記逃がし溝を側方へ向けることができる。これにより、前記逃がし溝の利用者側への露出を防止でき、見栄えの向上を図ることができる。
【００３２】
さらに、請求項３の揮散器にあっては、吸い上げた液状薬剤を揮散する揮散部が前記吸上芯の基端部に設けられており、この揮散部は、円筒状に形成されている。
【００３３】
このため、前記吸上芯で吸い上げられた液状薬剤を、円筒状に形成された揮散部の外周面及び内周面並びに両端面から揮散することができる。これにより、前記揮散部が球体で構成され、その外表面しか揮散面として利用することができない場合と比較して、前記液状薬剤の揮散量を向上することができる。
【００３４】
また、前記吸上芯の基端部に、円筒状の揮散部が設けられるため、デザイン性の向上を図ることができ、外観品質を高めることができる。
【図面の簡単な説明】
【００３５】
【図１】本発明の第一の実施の形態を示す分解斜視図である。
【図２】同実施の形態の断面図である。
【図３】同実施の形態の構成部品を示す図で、（ａ）は正面図であり、（ｂ）は、側面から見た要部の断面図である。
【図４】（ａ）は、本発明の第二の実施の形態を示す図であり、（ｂ）は、本発明の第三の実施の形態を示す図である。
【図５】（ａ）は、本発明の第四の実施の形態を示す図で、（ｂ）は、本発明の第後の実施の形態を示す図であり、（ｃ）は、本発明の第六の実施の形態を示す図である。
【発明を実施するための形態】
【００３６】
（第一の実施の形態）
【００３７】
以下、本発明の第一の実施の形態を図に従って説明する。
【００３８】
図１は、本実施の形態にかかる揮散器１を示す図であり、該揮散器１は、液状薬剤２を揮散するものである。
【００３９】
この液状薬剤２としては、芳香剤、消臭剤、防虫剤、殺虫剤、忌避剤等が挙げられ、本実施の形態では、前記液状薬剤２が芳香剤で構成された場合を例に挙げて説明する。
【００４０】
この揮散器１は、前記液状薬剤２が収容された容器体１１と、該容器体１１の口部１２の開口部１３に内嵌され当該開口部１３を閉鎖するキャップ１４と、該キャップ１４の上部に配置されるパッキン１５と、前記口部１２に装着される蓋体１６と、前記容器体１１にセットされる吸上芯１７と、該吸上芯１７の基端部に取り付けられる揮散部１８とによって構成されている。
【００４１】
前記容器体１１は、無色透明のガラス瓶によって構成されており、内部には、前記液状薬剤２が収容されている。この容器体１１には、上方へ向けて延出した円筒状の前記口部１２が一体形成されており、該口部１２の外周面には、雄ねじ部２１が形成されている。
【００４２】
この口部１２の開口部１３には、図２にも示すように、合成樹脂製の前記キャップ１４が装着されるように構成されており、該キャップ１４は、前記口部１２の前記開口部１３に内嵌される有底筒状の内嵌部３１が形成されている。該内嵌部３１の底面３２は（図１参照）、他の部位と比較して薄肉に形成されており、使用前状態では、前記口部１２の前記開口部１３を閉鎖して前記液状薬剤２の漏れを防止できるように構成されている。
【００４３】
この底面３２は、前記吸上芯１７が差し込まれた際に、開口して差込穴４１が開設されるように構成されており、破綻した底面３２部分は、前記吸上芯１７の周面４２の全周に渡って密着する舌片４３を形成するように構成されている。前記内嵌部３１の周壁４４内面には、三本のリング条４５，・・・が周方向に延設されており、各リング条４５，・・・は、前記吸上芯１７の周面４２に密着するように構成されている。
【００４４】
前記内嵌部３１の前記周壁４４の上縁からは、側方へ向けて鍔部５１が延出しており、該鍔部５１は、円形リング状に形成されている。該鍔部５１は、図２に示したように、前記内嵌部３１を前記口部１２の前記開口部１３に内嵌した状態で、前記口部１２の上端に密着するように構成されており、この鍔部５１の上部には、円形リング状に形成された合成樹脂製の前記パッキン１５が載置されるように構成されている。前記キャップ１４が装着されるとともに前記鍔部５１に前記パッキン１５が載置された前記口部１２には、前記蓋部１６が装着されるように構成されている。
【００４５】
この蓋部１６も合成樹脂で形成されており、当該蓋部１６は、図１に示したように、円筒状の筒部６１と、該筒部６１の上縁より内側へ向けて延出した天部６２とによって一体形成されている。該天部６２の中央には、円形穴６３が開設されており、該円形穴６３は、前記吸上芯１７を挿通できる大きさに形成されている。
【００４６】
前記円筒部６１の外周面には、等間隔をおいた四ヶ所に円形状の平坦部７１，・・・が形成されており、対向位置に配置された平坦部７１，７１を指で摘めるように構成されている。前記円筒部６１の内周面には、図２に示したように、前記口部１２の雄ねじ部２１と螺合する雌ねじ部７２が形成されており、前記平坦部７１，７１を摘んだ指で当該蓋部１６を回転操作することで、当該蓋部１６を前記口部１２に螺着できるように構成されている。このとき、当該蓋部１６の前記天部６２と前記キャップ１４の前記鍔部５１とには、前記パッキン１５が密着するように構成されており、水密性を確保できるように構成されている。
【００４７】
前記吸上芯１７は、図３に示すように、円柱状に形成された木材で構成されており、形成された多数の細い管による毛細管現象により前記容器体１１内の前記液状薬剤２を吸い上げ可能に構成されている。この吸上芯１７の先端部には、先端へ向かうに従って縮径した先細り形状の突刺部８１が形成されており、前記キャップ１４の前記底面３２を突き通して前記差込穴４１を形成できるように構成されれている。これにより、この吸上芯１７を前記容器体１１に設けられた前記キャップ１４の前記差込穴４１に差し込むことで、当該吸上芯１７を前記容器体１１にセットできるように構成されている。
【００４８】
前記吸上芯１７の周面４２には、当該吸上芯１７を前記差込穴４１に差し込む際に該差込穴４１の内縁９１との間に間隙９２を形成する逃がし溝９３が形成されている。この逃がし溝９３は、前記吸上芯１７の長さ方向に延在する直線状に形成されており、前記逃がし溝９３は、当該吸上芯１７の先端側に形成されている。これにより、該吸上芯１７の先端側には、前記逃がし溝９３が形成された溝有領域９５が設定されており、当該吸上芯１７の基端側には、前記逃がし溝９３を不具備な溝無領域９６が設定されている。
【００４９】
前記吸上芯１７の前記溝無領域９６は、図１に示したように、当該吸上芯１７を前記差込穴４１に差し込んで当該吸上芯１７の先端が前記容器体１１の底面１０１に達したセット状態１０２において、当該溝無領域９６が前記差込穴４１の前記内縁９１の高さ位置に達するように、その範囲が設定されている。
【００５０】
そして、この吸上芯１７の基端部には、図３にも示したように、当該吸上芯１７で吸い上げた前記液状薬剤２を揮散する為の前記揮散部１８が取り付けられている。該揮散部１８は、円筒状に加工された木材によって形成されており、前記液状薬剤２を吸収するとともに揮散できるように構成されている。
【００５１】
この揮散部１８の下部には、円形の挿通穴１１１が外周面１１２から内周面１１３へ貫通されており、該挿通穴１１１には、前記吸上芯１７の基端部が挿通されている。この挿通穴１１１に対向する前記揮散部１８の前記内周面１１３の部位には、円形の内嵌穴１１４が凹設されており、該内嵌穴１１４には、前記挿通穴１１１を挿通した前記吸上芯１７の基端部が内嵌された状態で固定されている。
【００５２】
この揮散部１８は、円筒形状の一端が正面部１２１を構成しており、その他端が背面部１２２を構成している。また、前記外周面１１２の一側部が左側部１２３を構成しており、他方が右側部１２４を構成している。前記正面部１２１及び前記背面部１２２のいずれでも良いが、本実施の形態では、前記正面部１２１を例えば利用者側である前方へ向けた状態で、前記逃がし溝９３が側方、具体的には左方へ向くように当該逃がし溝９３が配置されている。
【００５３】
以上の構成にかかる本実施において、容器体１１に吸上芯１７をセットする際には、前記容器体１１に装着された前記キャップ１４の底面３２に前記吸上芯１７先端の突刺部８１を突き刺して当該底面３２に差込穴４１を開口するとともに当該差込穴４１に前記吸上芯１７を差し込む。すると、前記容器体１１内には、前記吸上芯１７が挿入されるので、挿入された吸上芯１７の体積分、前記容器体１１の内圧が高められる。
【００５４】
このとき、前記吸上芯１７の周面４２には、逃がし溝９３が形成されており、当該吸上芯１７を前記差込穴４１に差し込む際には、この逃がし溝９３によって前記差込穴４１の内縁９１と前記吸上芯１７との間に間隙９２が形成される。このため、高められた容器体１１内の圧力を、前記逃がし溝９３で形成された前記間隙９２より外部へ放出し、内圧の上昇を抑えることができる。
【００５５】
このため、拡散ピンの軸を容器内に差し込むと容器内の圧力が上昇してしまう従来と比較して、内圧による液状薬剤２の前記吸上芯１７に沿った上昇を防止することができる。これにより、含有量を超えた液状薬剤２が吸上芯１７を介して揮散部１８に上昇し、一時的に浸透しきれなかった液状薬剤２が揮散部１８の表面よりにじみ出して液垂れが生じるといった不具合を未然に防止することができる。
【００５６】
また、前記吸上芯１７の先端側には、前記逃がし溝９３が形成された溝有領域９５が設定されており、当該溝有領域９５が前記差込穴４１を通過する際に、前記逃がし溝９３により形成される前記間隙９２によって、前記容器体１１内の内圧の上昇を防止することができる。これにより、前述の液垂れを防止することができる。
【００５７】
一方、前記吸上芯１７を前記差込穴４１に差し込んでセットしたセット状態１０２では、前記差込穴４１の内縁９１が前記吸上芯１７の前記溝無領域９６に達する。すると、当該差込穴４１の前記内縁９１は、前記吸上芯１７の周面４２全周に渡って密着するため、水密性を確保することができる。
【００５８】
このため、このセット状態１０２において、前記吸上芯１７と前記差込穴４１の内縁９１との間に間隙９２が形成される場合と比較して、当該容器体１１が倒れた場合であっても、液漏れを確実に防止することができる。
【００５９】
さらに、前記吸上芯１７の基端部には、吸い上げられた液状薬剤２を揮散する揮散部１８が設けられており、前記液状薬剤２の揮散を促進することができる。
【００６０】
そして、前記逃がし溝９３は、前記吸上芯１７の長さ方向に延在する直線状に形成されており、前記揮散部１８の正面部１２１を前方へ向けた状態で、前記逃がし溝９３が側方へ向くように当該逃がし溝９３が配置されている。
【００６１】
このため、前記揮散部１８の前記正面部１２１を利用者側へ向けた使用時において、前記吸上芯１７に形成された前記逃がし溝９３を側方へ向けることができる。これにより、前記逃がし溝９３の利用者側への露出を防止でき、見栄えの向上を図ることができる。
【００６２】
そして、吸い上げた液状薬剤２を揮散する前記揮散部１８は、前記吸上芯１７の基端部に設けられており、この揮散部１８は、円筒状に形成されている。
【００６３】
このため、前記吸上芯１７で吸い上げられた液状薬剤２を、円筒状に形成された前記揮散部１８の外周面１１２と内周面１１３と前記正面部１２１側の端面と前記背面部１２２側の端面とから揮散することができる。これにより、前記揮散部１８が球体で構成され、その外表面しか揮散面として利用することができない場合と比較して、前記液状薬剤２の揮散量を向上することができる。
【００６４】
また、前記吸上芯１７の基端部に、円筒状の揮散部１８が設けられるため、デザイン性の向上を図ることができ、外観品質を高めることができる。
【００６５】
なお、本実施の形態では、前記吸上芯１７の先端部に設けられた突刺部８１の斜面形状が丸みを帯びた場合を例に挙げて説明したが、この形状に限定されるものではない。
【００６６】
（第二の実施の形態）
【００６７】
すなわち、図４の（ａ）に示したように、前記吸上芯１７の先端部に三角錐状の突刺部２０１を設けても良い。
【００６８】
（第三の実施の形態）
【００６９】
さらには、図４の（ｂ）に示したように、前記吸上芯１７の先端部に三角錐状に形成された突刺部２１１斜面の傾斜角度を第二の実施の形態の突刺部２０１の斜面の傾斜角度より緩いものとしても良い。
【００７０】
この場合、突刺部２１１全体の長さを抑えることができる。
【００７１】
（第四の実施の形態）
【００７２】
前記吸上芯１７の周面４２に形成された前記逃がし溝９３は、必ずしも直線状である必要はなく、図５の（ａ）に示すように、吸上芯１７の先端部に周方向に延在する円状の逃がし溝３０１で構成しても良い。
【００７３】
（第五の実施の形態）
【００７４】
また、図５の（ｂ）に示すように、吸上芯１７の周面４２に沿って周方向斜めに傾斜して延在する逃がし溝３１１で構成しても良く、この逃がし溝３１１は、上下に配置された複数の溝で構成しても、螺旋状の一本の溝で構成しても良い。
【００７５】
（第六の実施の形態）
【００７６】
また、図５の（ｃ）に示すように、前記吸上芯１７の周面４２に長さ方向に延在する複数の前記逃がし溝３２１，・・・を周方向に間隔をおいて配置しても良い。
【符号の説明】
【００７７】
１    揮散器
２    液状薬剤
１１    容器体
１７    吸上芯
１８    揮散部
４１    差込穴
４２    周面
９１    内縁
９２    間隙
９３    逃がし溝
９５    溝有領域
９６    溝無領域
１０２    セット状態
１１２    外周面
１１３    内周面
１２１    正面部
３０１    逃がし溝
３１１    逃がし溝
３２１    逃がし溝
【図１】
0005827855.tif 000002
【図２】
0005827855.tif 000003
【図３】
0005827855.tif 000004
【図４】
0005827855.tif 000005
【図５】
0005827855.tif 000006